(57)【要約】  コンタクト・レンズ２００の透過率を決定する方法は、眼表面１００よって反射された電磁放射線の第１の強度の測定値を強度測定デバイス４００によって取得するステップと、眼表面１００に直接的に接触するようにコンタクト・レンズ２００を位置付けるステップと、コンタクト・レンズ２００によってカバーされた眼表面１００の領域１１０によって反射されるコンタクト・レンズ２００を透過した電磁放射線の第２の強度の測定値を強度測定デバイス４００によって取得するステップと、第１の強度及び第２の強度の測定値を使用して、透過率を計算するステップとを含む。
2021514474.tif 000002
【特許請求の範囲】
【請求項１】
眼表面（１００）に直接的に接触するコンタクト・レンズ（２００）を透過する電磁放射線の透過率を決定するための方法であって、
眼表面（１００）の少なくとも一部分によって反射された放射線の第１の強度を強度測定デバイス（４００）によって測定するステップと、
前記眼表面（１００）の少なくとも一部分をカバーするとともに直接的に接触するように前記コンタクト・レンズ（２００）を位置付けるステップと、
前記コンタクト・レンズ（２００）によってカバーされた前記眼表面（１００）の少なくとも１つの領域（１１０）によって反射される前記コンタクト・レンズ（２００）を透過した放射線の第２の強度を前記強度測定デバイス（４００）によって測定するステップと、
前記第１の強度及び前記第２の強度の測定値を使用して、前記コンタクト・レンズ（２００）を透過する電磁放射線の透過率を計算するステップと
を含む、方法。
【請求項２】
前記強度測定デバイス（４００）における暗電流に起因する強度値を決定するステップと、
前記コンタクト・レンズ（２００）を透過する前記電磁放射線の透過率を以下の式に従って計算するステップであって、
【数１】
2021514474.tif 000012
式中、
ＴＣｏｒｒは、前記コンタクト・レンズ（２００）を透過する前記電磁放射線の透過率であり、
ＩＯは、前記第１の強度の前記測定値であり、
ＩＴは、前記第２の強度の前記測定値であり、
ｄは、前記強度測定デバイス（４００）における暗電流に起因する前記強度値である、ステップと
を更に含む、請求項１に記載の方法。
【請求項３】
２次的な場所（１５０）から反射された放射線の第３の強度を、前記第１の強度の測定と同時的に測定するステップであって、前記少なくとも１つの領域（１１０）は前記２次的な場所（１５０）とは異なる、ステップと、
前記２次的な場所（１５０）から反射された放射線の第４の強度を、前記第２の強度の測定と同時的に測定するステップと、
前記第１及び第３の強度の測定時と前記第２及び第４の強度の測定時との間での放射線の強度における変化を決定するために、前記第３の強度を前記第４の強度と比較するステップと、
前記第３の強度と前記第４の強度との前記比較を使用して、前記コンタクト・レンズ（２００）を透過する前記電磁放射線の透過率の前記計算における前記第１及び第３の強度の測定時と前記第２及び第４の強度の測定時との間での放射線の強度における前記変化を補正するステップと
を更に含む、請求項１又は２に記載の方法。
【請求項４】
前記強度測定デバイス（４００）は、１ｎｍから１，０００ｎｍ、好ましくは３８０〜７８０ｎｍの波長範囲を有する電磁放射線のスペクトル内での電磁放射線の強度を測定するように構成される、請求項１から３までのいずれか一項に記載の方法。
【請求項５】
前記強度測定デバイス（４００）は、４６０±２０ｎｍの波長範囲を有する電磁放射線のスペクトルにわたる電磁放射線の強度を測定するように構成される、請求項１から４までのいずれか一項に記載の方法。
【請求項６】
前記強度測定デバイス（４００）は、５５５±２０ｎｍの波長範囲を有する電磁放射線のスペクトルにわたる電磁放射線の強度を測定するように構成される、請求項１から５までのいずれか一項に記載の方法。
【請求項７】
前記強度測定デバイス（４００）は、６３５±２０ｎｍの波長範囲を有する電磁放射線のスペクトルにわたる電磁放射線の強度を測定するように構成される、請求項１から６までのいずれか一項に記載の方法。
【請求項８】
前記第１及び第２の強度の前記測定値は、４６０±２０ｎｍ、５５５±２０ｎｍ、及び６３５±２０ｎｍから成る群から選択された波長の範囲からのものである、請求項１から７までのいずれか一項に記載の方法。
【請求項９】
前記第１及び第２の強度を測定する前に、前記強度測定デバイス（４００）の検知器を覆うようにフィルタ（４５０）、好ましくは、３波長ノッチ・フィルタ（４５０）を適用するステップ
を更に含む、請求項１から８までのいずれか一項に記載の方法。
【請求項１０】
前記フィルタ（４５０）は、４６０±２０ｎｍ、５５５±２０ｎｍ、及び６３５±２０ｎｍから成る群から選択された波長を中心とする、請求項９に記載の方法。
【請求項１１】
前記眼表面（１００）は、人間の眼の少なくとも一部分、好ましくは前記眼の強膜（１２０）の少なくとも一部分を含む、請求項１から１０までのいずれか一項に記載の方法。
【請求項１２】
前記コンタクト・レンズ（２００）は、フォトクロミック・コンタクト・レンズ（２００）又はティンテッド・コンタクト・レンズ（２００）である、請求項１から１１までのいずれか一項に記載の方法。
【請求項１３】
前記コンタクト・レンズ（２００）の略中心部分又は周縁部分にわたって前記第２の強度の前記値を測定するステップ
を更に含む、請求項１２に記載の方法。
【請求項１４】
前記コンタクト・レンズ（２００）は、フォトクロミック・コンタクト・レンズ（２００）であり、前記方法は、
電磁放射線の所望の波長範囲を選択するステップと、
前記フォトクロミック・コンタクト・レンズ（２００）の活性化の所望のレベルを選択するステップと、
前記フォトクロミック・コンタクト・レンズ（２００）が前記活性化の所望のレベルに到達するまで前記フォトクロミック・コンタクト・レンズ（２００）を化学線に晒すステップであって、前記眼表面（１００）は、眼を構成し、前記少なくとも１つの領域（１１０）は、前記眼の強膜（１２０）上に配置され、前記強度測定デバイス（４００）は、前記所望の波長範囲にわたって電磁放射線強度データを記録するように構成された撮像デバイスであり、前記眼表面（１００）によって反射された放射線の前記第１の強度を前記強度測定デバイス（４００）によって測定するステップは、前記強膜（１２０）の前記領域（１１０）の第１の画像を前記撮像デバイス（４００）によって撮影するステップを含み、前記眼表面（１００）をカバーするように前記フォトクロミック・コンタクト・レンズ（２００）を位置付けるステップは、前記活性化されたフォトクロミック・コンタクト・レンズ（２００）によって前記強膜（１２０）の前記領域（１１０）をカバーするステップを含み、前記フォトクロミック・コンタクト・レンズ（２００）によってカバーされた前記眼表面（１００）の前記領域（１１０）によって反射された放射線の前記第２の強度を前記強度測定デバイス（４００）によって測定するステップは、前記強膜（１２０）の前記領域（１１０）の可視性を最大化するステップと、前記強膜（１２０）の前記領域（１１０）の第２の画像を前記撮像デバイス（４００）によって撮影するステップとを含む、ステップと
を含み、
前記第１の強度及び前記第２の強度の前記測定値を使用して、前記フォトクロミック・コンタクト・レンズ（２００）を透過する前記電磁放射線の透過率を計算するステップは、
前記第１の画像から取得された前記所望の波長範囲についての電磁放射線強度データの第１のセットを記録するステップと、
前記第２の画像から取得された前記所望の波長範囲についての電磁放射線強度データの第２のセットを記録するステップと、
前記データの第１及び第２のセットをデータベースに入力するステップと、
プロセッサを使用して、前記フォトクロミック・コンタクト・レンズを透過する前記電磁放射線の透過率を決定するステップと
を含む、請求項１から１３までのいずれか一項に記載の方法。
【請求項１５】
前記コンタクト・レンズ（２００）は、前記第１及び第２の強度を測定する前に前記眼表面（１００）をカバーするように位置付けられ、前記第１の強度及び前記第２の強度の前記測定値は同一の画像から取得され、前記第１の強度は、前記コンタクト・レンズ（２００）によってカバーされていない前記眼表面（１００）の部分から測定され、前記第２の強度は、前記コンタクト・レンズ（２００）によってカバーされた前記眼表面（１００）の部分から測定され、前記方法は、
前記第１の強度の前記測定値をＣＩＥ  ＸＹＺ値に変換するステップと、
前記第２の強度の前記測定値をＣＩＥ  ＸＹＺ値に変換するステップと、
前記透過率を以下の式に従って決定するステップであって、
【数２】
2021514474.tif 000013
式中、
ＴＹは、ＣＩＥ  Ｙ値に従って決定された前記コンタクト・レンズ（２００）の前記透過率であり、
Ｙｕｎｃｏｖｅｒｅｄは、前記眼表面（１００）の前記画像の前記部分のＹ値であって、前記眼表面（１００）が前記コンタクト・レンズ（２００）によってカバーされていないときのＹ値であり、
Ｙｃｏｖｅｒｅｄは、前記眼表面（１００）の前記画像の前記部分のＹ値であって、前記眼表面（１００）が前記コンタクト・レンズ（２００）によってカバーされたときのＹ値である、ステップと
を更に含む、請求項１に記載の方法。
【発明の詳細な説明】
【技術分野】
【０００１】
本発明は、実世界条件の下での、例えばフォトクロミック・コンタクト・レンズなどのコンタクト・レンズの光学的特性を決定するための方法及び測定システムに関する。
【背景技術】
【０００２】
電磁スペクトルの可視領域における電磁放射線を吸収する光学的要素は、例えばコンタクト・レンズなどの様々な物品において使用されている。本明細書において、「コンタクト・レンズ」は、物理的に眼の中に存在する、又は、眼の上に直接的に存在するデバイスとして明示的に定義される。「〜の上に直接的に」は、直接的に接触することを意味する。「〜の上に直接的に」及び「直接的に接触」という用語は、コンタクト・レンズと眼との間に涙液膜が存在する状態も含むことを理解されたい。
【０００３】
電磁放射線吸収コンタクト・レンズは、着用者の目視の快適性を改善し、明るい条件において着用者の見る能力を向上させる。電磁放射線吸収コンタクト・レンズの実例としては、色合い固定的コンタクト・レンズ及びフォトクロミック・コンタクト・レンズがある。
【０００４】
フォトクロミック・コンタクト・レンズは、電磁放射線の特定の波長に応じて色合いを変化させる。フォトクロミック・コンタクト・レンズは、明るい光の条件に晒されたときに改善された視覚と、快適さとを着用者に提供するが、光の少ない条件においては吸収のない、又はより吸収の少ない状態へと戻る。フォトクロミック・コンタクト・レンズは、照明条件の範囲にわたって目視の快適さ及び容易さを提供し、室内／光の少ない場所と屋外／明るい光の場所との間で移動するときに眼鏡を交換する必要がないようにする。
【０００５】
例えばフォトクロミック・コンタクト・レンズなどのコンタクト・レンズによって透過される光の量をテストし、又は定量化するための知られた方法は、実験室条件の下で従来の光学的ベンチを利用する。フォトクロミック・コンタクト・レンズは、典型的には紫外線に晒されることによって活性化され、テストのために光学的ベンチに固定される。光学的ベンチは実験室条件については非常に適しているが、例えば環境光条件の下で実際に着用されたときなど、実世界条件の下でのフォトクロミック・コンタクト・レンズの光学的特性及び／又は美的特性の正確な決定を提供し得ない。活性化されたフォトクロミック・コンタクト・レンズの色又は色合い／暗さは、コンタクト・レンズが実験室条件の下で光学的ベンチ上で測定されたときと比べて、実世界条件の下でユーザによって実際に着用されたときに、異なって見える場合がある。更に、フォトクロミック・コンタクト・レンズの知覚される美観は、人間の眼の色及び陰影特性の違いによって、実際に着用されたときに異なり得る。
【０００６】
フォトクロミック・コンタクト・レンズによる光の透過は、受け取られる化学線の量及び期間に基づいて変化する。フォトクロミック・コンタクト・レンズが着用者によって先ず環境条件の下で活性化され、次いで、測定のために実験室の光学的ベンチへと移送された場合、フォトクロミック・コンタクト・レンズの活性化のレベルは、それが活性化されたときと、測定のために光学的ベンチに固定されたときで異なり得る。例えばフォトクロミック・コンタクト・レンズをキセノン・アーク・ランプに晒すなどの、実験室条件の下で活性化を維持する既存の方法は、実世界条件を正確に再現し得ない。
【０００７】
従来の実験室環境の外で、コンタクト・レンズ、例えば、活性化されたフォトクロミック・コンタクト・レンズの光学的特性を決定することができると、これには、品質管理におけるもの及びマーケッティングにおけるものなどのいくつかの用途がある。実世界条件の下でフォトクロミック・コンタクト・レンズをテストすることは、着用者が体験する快適さ及び信頼性について有用なデータを提供する。加えて、フォトクロミック・コンタクト・レンズの実世界での特性を正確に決定することができると、購入者に対して、彼らのいる地理的場所における使用のため又は彼らの所望の目的のために、様々なフォトクロミック・コンタクト・レンズを判断するための定量的な又は定性的な基準を提供し得る。
【発明の概要】
【発明が解決しようとする課題】
【０００８】
故に、実世界条件の下で、例えばフォトクロミック・コンタクト・レンズなどのコンタクト・レンズの光学的特性を測定するための方法及び／又はシステムを提供することが望ましい。方法及び／又はシステムが可搬性を有することへの更なる需要も存在する。
【課題を解決するための手段】
【０００９】
コンタクト・レンズを透過する電磁放射線の透過率を決定するための方法は、眼表面によって反射された電磁放射線の第１の強度を測定するステップと、眼表面の一部分の上に直接的にこれをカバーするようにコンタクト・レンズを位置付けるステップと、コンタクト・レンズによってカバーされた眼表面の領域によって反射されるコンタクト・レンズを透過した電磁放射線の第２の強度を測定するステップと、第１の強度及び第２の強度の測定値を使用して、コンタクト・レンズを透過する電磁放射線の透過率を計算するステップとを含む。
【００１０】
フォトクロミック・コンタクト・レンズを透過する電磁放射線の透過率を決定するための方法は、眼表面の一部分の上に直接的にこれをカバーするように活性化されていないフォトクロミック・コンタクト・レンズを位置付けるステップと、活性化されていないフォトクロミック・コンタクト・レンズによってカバーされた眼表面の領域によって反射された電磁放射線の第１の強度を測定するステップと、眼表面上のフォトクロミック・コンタクト・レンズを活性化させるステップと、活性化されたフォトクロミック・コンタクト・レンズによってカバーされた眼表面の領域によって反射されるフォトクロミック・コンタクト・レンズを透過した電磁放射線の第２の強度を測定するステップと、第１の強度及び第２の強度の測定値を使用して、フォトクロミック・コンタクト・レンズを透過する電磁放射線の透過率を計算するステップとを含む。
【００１１】
コンタクト・レンズを透過する電磁放射線の透過率を決定するための方法は、活性化されたコンタクト・レンズによってカバーされた眼表面の領域によって反射される活性化されたコンタクト・レンズを透過した電磁放射線の第１の強度を測定するステップと、コンタクト・レンズによってカバーされていない眼表面の領域によって反射された電磁放射線の第２の強度を測定するステップと、第１及び第２の測定値をＣＩＥ色座標に変換するステップと、ＣＩＥ色座標における差異を使用して、コンタクト・レンズを透過する電磁放射線の透過率を計算するステップとを含む。
【００１２】
コンタクト・レンズは、眼表面に直接的に接触する。
【００１３】
第１及び第２の強度の測定は、写真撮像デバイスを使用して行われ得る。
【００１４】
電磁放射線は、可視光の１つ又は複数の波長、又は、可視光の波長の１つ又は複数の範囲であり得る。
【００１５】
活性化の所望のレベルにあるフォトクロミック・コンタクト・レンズの透過率を決定するための方法は、電磁放射線の所望の波長範囲を選択するステップと、フォトクロミック・コンタクト・レンズの活性化の所望のレベルを選択するステップと、フォトクロミック・コンタクト・レンズが活性化の所望のレベルに到達するまでフォトクロミック・コンタクト・レンズを所望の波長範囲の化学線に晒すステップと、眼の強膜の領域の可視性を最大化するステップと、強膜の領域の第１の画像を撮像デバイスによって撮影するステップであって、撮像デバイスは選択された波長範囲にわたって光強度データを記録するように構成される、ステップと、第１の画像から取得された選択された波長範囲についての電磁放射線強度データの第１のセットを記録するステップと、活性化されたフォトクロミック・コンタクト・レンズによって強膜の領域をカバーするステップと、強膜の領域の第２の画像を撮像デバイスによって撮影するステップと、第２の画像から取得された選択された波長範囲についての電磁放射線強度データの第２のセットを記録するステップと、データの第１及び第２のセットをデータベースに入力するステップと、プロセッサを使用して、フォトクロミック・コンタクト・レンズの透過率を決定するステップとを含む。
【図面の簡単な説明】
【００１６】
【図１】眼表面から反射された電磁放射線強度データを測定するための強度測定デバイスを備える強度測定システムの側面概略図である。
【図２】測定領域を示す眼表面の正面概略図である。
【図３】別の測定領域を示す眼表面の正面概略図である。
【図４】眼表面の一部分に直接的に接触するコンタクト・レンズを図示する図２の眼表面の正面概略図である。
【図５】眼表面の一部分に直接的に接触するコンタクト・レンズを図示する図３の眼表面の正面概略図である。
【図６】コンタクト・レンズの別の例示的な位置付けを図示する眼表面の正面概略図である。
【図７】本発明の例示的な測定方法のブロック図である。
【図８】本発明の別の例示的な測定方法のブロック図である。
【発明を実施するための形態】
【００１７】
本明細書及び特許請求の範囲において使用されるとき、文脈がそうでないことを明白に表さない限り、単数形の「ａ」、「ａｎ」、及び「ｔｈｅ」は複数の指示対象を含む。
【００１８】
例えば「左」、「右」、「上方へ」、「下方へ」などの空間又は方向についての用語は、図面において図示されているとおりの本発明に関する。しかしながら、本発明は、様々な代替的な向きを想定可能であり、それ故、このような用語は限定的なものと見なされるべきではない。
【００１９】
本明細書及び特許請求の範囲において使用される全ての数は、全ての場合において「約」という用語において修飾されるものと理解されるべきである。「約」は、述べられた値のプラス又はマイナス１０パーセントの範囲を意味する。
【００２０】
「例えば〜など（ｓｕｃｈ  ａｓ）」という用語は、非限定的なものであると理解されるべきである。すなわち、「例えば〜など」とともに記載されている要素は、記載されている特徴の非限定的な実例であると理解されるべきである。
【００２１】
本明細書において開示される全ての範囲は、範囲の開始及び終了の値、並びにその中に包含される任意の及び全ての部分範囲を含む。本明細書において開示される範囲は、指定された範囲の平均値を表す。
【００２２】
眼表面の実例とコンタクト・レンズの実例との間の位置関係に関する「によってカバーされる」又は「カバーする」という用語の使用は、直接的な接触を意味する。例えば、コンタクト・レンズによってカバーされた眼表面の領域は、コンタクト・レンズが眼表面に直接的に接触することを意味する。
【００２３】
眼表面の実例とコンタクト・レンズの実例との間の位置関係に関して使用される「カバーされていない（ｕｎｃｏｖｅｒｅｄ又はｎｏｔ  ｃｏｖｅｒｅｄ）」という用語は、撮像デバイスの基準系から見て眼表面がコンタクト・レンズによって「カバーされ」ていないことを意味する。
【００２４】
「ポリマー」又は「ポリマーの」という用語は、オリゴマー、ホモポリマー、コポリマー、ポリマー・ブレンド（すなわち、ホモポリマー又はコポリマーの混合物）、及びターポリマー、例えば、２つ以上のタイプのモノマー又はポリマーから形成されたポリマーを含む。
【００２５】
「紫外線」という用語は、１００ナノメートル（ｎｍ）から３８０ｎｍ未満の範囲の波長を有する電磁放射線を意味する。「可視光線」又は「可視光」という用語は、３８０ｎｍから７８０ｎｍの範囲の波長を有する電磁放射線を意味する。「赤外線」という用語は、７８０ｎｍよりも大きく、１，０００，０００ｎｍまでの範囲の波長を有する電磁放射線を意味する。
【００２６】
本明細書において言及される全ての文書は、それらの全体が「参照によって組み込まれる」。
【００２７】
「少なくとも」は、「よりも大きいか又は等しい」ことを意味する。「よりも大きくない」は、「よりも小さいか又は等しい」ことを意味する。
【００２８】
波長値は、そうでないことが示されない限り、ナノメートル（ｎｍ）単位である。
【００２９】
「含む（ｉｎｃｌｕｄｅ）」という用語は、「備える（ｃｏｍｐｒｉｓｅ）」と同義である。
【００３０】
「化学線」及び「化学光」という用語は、例えばフォトクロミック材料を１つの活性化状態から別の活性化状態に転換するなど、材料に反応を起こすことが可能な電磁放射線を意味する。
【００３１】
「フォトクロミック」という用語は、少なくとも化学線の吸収に反応して変化する、少なくとも可視光線に対する吸収スペクトルを有することを意味する。
【００３２】
異なる条件を指すとき、「第１の」「第２の」などの用語は、任意の特定の順番又は時間的順序を指すのではなく、異なる条件又は性質を指すものと企図される。実例としては、フォトクロミック・コンタクト・レンズの第１の状態及び第２の状態は、例えば可視光線及び／又は紫外（ＵＶ）線の吸収又は直線偏光に関してなど少なくとも１つの光学的性質に関して異なり得る。例えば、フォトクロミック・コンタクト・レンズは、第１の状態においては透明であり得、第２の状態においては着色され得る。代替的に、フォトクロミック・コンタクト・レンズは、第１の状態においては第１の色を、第２の状態においては第２の色を有し得る。
【００３３】
「光学的」という用語は、光及び／又は視覚に関連する又は関連付けられることを意味する。
【００３４】
「色合い固定的」という用語は、感光性でない着色剤を有すること、すなわち、その視覚的に観察される色について、電磁放射線に対して物理的又は化学的に反応しないことを意味する。
【００３５】
「透明」という用語は、材料が、その向こう側にある物体が視認可能であるように、感知可能なほどの散乱なしに光を透過する性質を有することを意味する。
【００３６】
「活性化される」という用語は、光学的デバイスが、コンタクト・レンズが、例えば可視光線及び／又は紫外（ＵＶ）線の吸収又は直線偏光に関してなど少なくとも１つの光学的性質に関して第１の活性化状態から第２の活性化状態にシフトするように、例えば化学線などの条件に、十分な期間の間、晒されていることを意味する。
【００３７】
「活性化の所望のレベル」という用語は、定量的又は定性的な決定であり得る。フォトクロミック・コンタクト・レンズの活性化の所望のレベルは、選択された期間の間、特定の環境（波長又は波長の範囲）において環境光又は照射された光に晒されることによってそのデバイスが到達した活性化のレベルであり得る。
【００３８】
ＣＩＥ色座標（例えば、Ｘ、Ｙ、Ｚ）は、国際照明委員会によって指定された、ＣＩＥ色マッチング関数ｘｙｚを含むＣＩＥ  ＸＹＺ表色系に従った座標を意味する。ＣＩＥ色座標は、ＣＩＥ  ＸＹＺ１９３１、１６６４、及び／又は２００４フォーマットに則ることができる。
【００３９】
本発明の論考は、ある限界内で「特定の」又は「好ましい」ものとして（例えば、ある限界内で、「好ましい」、「より好ましい」又は「更により好ましい」ものとして）ある特徴を説明し得る。本発明は、これらの特定の又は好ましい限界に限定されるものではなく、開示の全体的な範囲を包含するものであることを理解されたい。
【００４０】
本発明は、任意の組み合わせにおいて、本発明の以下の態様を、含み、これらから成り、又は、本質的にこれらから成る。本発明の様々な態様は、個別の図面において例示される。しかしながら、これは単純に例示及び論考を容易にするためであることを理解されたい。本発明の実践において、１つの図面において図示された本発明の１つ又は複数の態様が、他の図面のうちの１つ又は複数において図示された本発明の１つ又は複数の態様と組み合わされ得る。
【００４１】
図１は、本発明の測定システム１０を概略的に表すものである。測定システム１０は、眼表面１００と、光源３００と、撮像デバイス４００とを含む。
【００４２】
光源３００は、１つ若しくは複数の波長又は１つ若しくは複数の波長の範囲における電磁放射線を出射する。電磁放射線は可視光であってよい。光源３００は、例えば赤外（ＩＲ）及び／又は紫外（ＵＶ）スペクトルなどの、電磁放射線の１つ又は複数の他のスペクトルにおける電磁放射線も出射し得る。図面に図示されていないが、複数の光源３００が使用されてよい。複数の光源３００が存在する場合、光源３００は同一の波長又は波長範囲の電磁放射線を出射してよく、又は、光源３００のうちのいくつかは、他の光源３００とは異なる波長又は波長の範囲の電磁放射線を出射してもよい。光源３００の実例としては、太陽があり、この場合、電磁放射線は環境屋外光である。又は、光源３００は、例えば白熱電球、蛍光灯、コンパクト蛍光灯又は所望のスペクトルにおける電磁放射線を出射する他の光源などの人工的光源であってよい。
【００４３】
眼表面１００は、人間の眼の１つ又は複数の態様、例えば温度、水分含有量、反射率、色、透過率、又は人間の眼の他の物理的若しくは光学的性質などを近似する面であってよい。例えば、眼表面１００は人間の眼の表面であってよい。眼表面１００は動物の眼の表面であってよい。
【００４４】
図１を参照すると、光源３００から出射された電磁放射線、例えば可視光は、眼表面１００の１つ又は複数の領域で反射される。撮像デバイス４００は、眼表面１００から反射された電磁放射線の画像データを撮影する。撮像デバイス４００は、強度検知デバイスであり、眼表面１００の１つ又は複数の部分から反射された電磁放射線の強度を測定する。強度データは、位置の関数として、撮像デバイス４００によって取得された画像データに含まれ得る。撮像デバイス４００は、眼表面１００によって反射された電磁放射線の強度を測定するために高い解像度を有する必要はない。しかしながら、撮像デバイス４００は良好な測光直線性を有することが好ましい。撮像デバイス４００は高ダイナミック・レンジを有することが更に好ましい。撮像デバイス４００の実例としては、デジタル・カメラ、電荷結合素子（ＣＣＤ）、相補形金属酸化膜半導体（ＣＭＯＳ）センサ、光ダイオード・アレイ、光電子倍増管アレイ、又は、任意の所与のエリア・サイズに収束させる光学的素子を有する単一のセンサ（１×１アレイ）などがある。撮像デバイス４００の追加的な実例としてはハイパースペクトル・イメージャがあり、これにおいては、各ピクセルにおけるイメージ・センサが、フィルタによって狭められた帯域だけでなく、可視光の全体的なスペクトルにわたってデータを取得し得る。撮像デバイス４００は、カラー又は白黒の画像を撮影し得る。強度測定デバイスとしての機能を果たす適切な撮像デバイス４００の実例としては、Ａｌｌｉｅｄ  Ｖｉｓｉｏｎ  Ｔｅｃｈｎｏｌｏｇｉｅｓ  ｏｆ  Ｅｘｔｏｎ、Ｐｅｎｎｓｙｌｖａｎｉａから市販されているモデルＡＶＴ  Ｆ−１４５  Ｂ／Ｃ  Ｓｔｉｎｇｒａｙカメラがある。高ダイナミック・レンジ（「ＨＤＲ」）機能を使用して撮影された画像も、露光時間及び暗値が既知であり、露光時間と測定された強度値との間に比例関係を仮定するという条件において使用され得る。
【００４５】
光強度及び位置についてのデータを含む画像データは、撮像デバイス４００の内部メモリに記憶され得る。代替的に、画像データは、着脱式若しくは外部メモリに、又は当技術分野において知られる他の手法において記憶され得る。
【００４６】
撮像デバイス４００は、電磁放射線の１つ若しくは複数の選択された波長又は１つ若しくは複数の波長範囲の強度データを含む画像データを取得するように構成される。例えば、撮像デバイス４００は、１ｎｍから１，０００ｎｍの範囲内の電磁放射線の１つ若しくは複数の選択された波長又は１つ若しくは複数の波長範囲の強度データを含む画像データを取得するように構成され得る。例えば、撮像デバイス４００は、可視光の１つ若しくは複数の選択された波長又は１つ若しくは複数の波長範囲の強度データを含む画像データを取得するように構成され得る。例えば、撮像デバイス４００は、赤、緑、青の範囲の電磁放射線の強度に関するデータを取得し得る。代替的に又は追加的に、撮像デバイス４００は、シアン、イエロー、グリーン及び／又はマゼンダの範囲の電磁放射線の強度データを取得し得る。他の波長範囲も使用され得る。様々な製造業者及び撮像デバイスが、これらの色の範囲を異なって定義していること、及び、各色の特定の波長又は波長範囲、及びいくつかの範囲は重複し得ることは、当業者によって理解されよう。赤、緑及び青についての例示的な範囲は、それぞれ６３５±２０ｎｍ、５５５±２０ｎｍ、４６０±２０ｎｍである。およそ３８０〜７８０ｎｍの間の波長を含む可視光スペクトルにおける波長範囲の任意の範囲又は組み合わせが使用され得る。
【００４７】
データが取得され得る可視光の特定の波長範囲が選ばれ得る。これらの波長範囲は、テストされることになる、例えばフォトクロミック・コンタクト・レンズなどの光学的要素に存在する特定のフォトクロミック染料の色に対応し得る。波長は、波長の任意の組み合わせであり得、フィルタの使用によって定められ得る。電磁放射線、例えば可視光の選択された又は所望の１つ又は複数の波長の範囲に対応するフィルタ４５０が、眼表面１００と撮像デバイス４００との間に置かれ得る。フィルタ４５０は、撮像デバイス４００に入る光を、所望の波長又は波長の範囲に限定する。フィルタ４５０は、撮像デバイス４００のレンズを覆うように置かれ得る。フィルタ４５０の実例としては、帯域透過フィルタ、短波長透過フィルタ、長波長透過フィルタ、又は当技術分野において知られた他のフィルタなどがある。フィルタ４５０は、任意の所望の波長範囲における電磁放射線の１つ又は複数の波長を中心とするノッチ・フィルタであってよい。ノッチ・フィルタは、所望の波長を中心とする電磁放射線の狭い範囲の波長を透過し得る一方、可視光のスペクトルの残りをブロックする。フィルタ４５０は３ノッチ・フィルタであってよい。フィルタ４５０は、６３５±２０ｎｍ、５５５±２０ｎｍ、及び４６０±２０ｎｍをそれぞれ中心とするノッチを有する３ノッチ・フィルタであってよい。強度値の測定は、光の同一の波長の範囲にわたって行われ得る。フィルタ４５０は、眼表面１００の色に対応するように、又はこれと異なるように選ばれ得る。
【００４８】
図２及び図３は、ｘ軸及びｙ軸に組み付けられた眼表面１００を概略的に表すものである。図面は、コンタクト・レンズによってどの部分もカバーされていない眼表面１００を図示する。図１から図３を参照すると、眼表面１００から反射された電磁放射線の強度の第１の測定値が撮像デバイス４００によって取得される。第１の測定値は、眼表面１００の選択された部分において取得され得る。例えば、第１の測定値は、眼表面１００の領域１１０にわたって取得され得る。領域１１０は、人間の眼の強膜１２０の領域であり得る。領域１１０は、眼表面１００の比較的広い面積を含み得る。例えば、領域１１０は、１平方ミリメートル（ｍｍ２）から２５ｍｍ２を含み得、例えば１ｍｍ２から１０平方ミリメートル（ｍｍ２）などである。領域１１０の面積は、測定されることになるコンタクト・レンズの面積と略同等であってよい。又は、領域１１０の面積は、測定されることになるコンタクト・レンズの面積よりも大きくてよく、又は小さくてよい。図２は、眼表面１００の虹彩１４０に隣接する強膜１２０の一部分に領域１１０が配置された眼表面１００を概略的に表すものである。図２において示された領域１１０は、湾曲した細長い領域である。図３において、領域１１０は虹彩１４０から離間されている。図３において示された領域１１０は、円形又は楕円形の領域である。領域１１０は任意の形状であってよいことを理解されたい。領域１１０は、虹彩１４０、瞳孔１３０、強膜１２０、又はこれらの組み合わせを含むがこれらに限定されない眼表面１００の任意の部分に配置されてよいことも理解されたい。
【００４９】
図４及び図５は、コンタクト・レンズ２００が、眼表面１００をカバーするように、すなわち、直接的に接触するように置かれた眼表面１００を概略的に表すものである。例えば、コンタクト・レンズ２００は、色合い固定的コンタクト・レンズ２００、又はフォトクロミック・コンタクト・レンズ２００であってよい。コンタクト・レンズ２００がフォトクロミック・コンタクト・レンズであるとき、フォトクロミック・コンタクト・レンズ２００は、活性化されていてもよく、活性化されていなくてもよい。コンタクト・レンズ２００は、眼表面に直接的に接触する。以下の実例において、コンタクト・レンズ２００は、眼表面１００に直接的に接触して配置されたフォトクロミック・コンタクト・レンズ２００であると見なされる。コンタクト・レンズ２００は、領域１１０の全ての部分、又はその一部分をカバーし得る。コンタクト・レンズ２００がフォトクロミック・コンタクト・レンズ２００である場合、フォトクロミック・コンタクト・レンズ２００は、活性化の所望のレベルを達成する期間の間、眼表面１００上で化学線に晒され得る。例えば、完全な活性化を達成する期間の間、これに晒される。
【００５０】
図４及び図５において概略的に描かれた実例を参照すると、眼表面１００よって反射されるコンタクト・レンズ２００を透過した電磁放射線、例えば、可視光の強度の第２の測定値が撮像デバイス４００によって取得される。第２の測定値は、コンタクト・レンズ２００によってカバーされた眼表面１００の領域１１０の少なくとも一部分にわたる強度データを含む。コンタクト・レンズ２００の面積は、領域１１０の面積と略同等であってよい。又は、コンタクト・レンズ２００の面積は、領域１１０よりも大きくてよく、又は領域１１０よりも小さくてよい。第１の測定値及び第２の測定値のために測定される波長又は波長の範囲は、好ましくは同一である。眼表面１００の実例は、強度データが同時に又は順番にそこから測定される複数の領域１１０を含み得ることを理解されたい。
【００５１】
コンタクト・レンズ２００の表面エリアの全ての部分又は少なくとも一部分にわたって撮像デバイス４００が画像データを撮影するとき、コンタクト・レンズ２００全域からの強度値が比較され得る。このような比較は、コンタクト・レンズ２００全域の透過率の差異の特定を可能とするので、有用である。これは、コンタクト・レンズ２００における特定の画像欠陥の場所を示す。この状況において、眼表面１００の領域１１０は、サイズにおいて、測定されることになるコンタクト・レンズ２００の所望のエリアに対応し得る。代替的に、複数の第２の測定値が取得され得、これにおいては、コンタクト・レンズ２００は眼表面１００の異なる部分をカバーし、強度データは、これらの画像における眼表面１００の領域１１０から取得され得る。
【００５２】
図２及び図４を具体的に参照すると、コンタクト・レンズ２００は、コンタクト・レンズ２００の中心エリアが瞳孔１３０を覆うように位置付けられたときでさえも強膜１２０の部分をカバーし得る。図２及び図４における領域１１０は、虹彩１４０に隣接する強膜１２０の部分に配置される。領域１１０は虹彩１４０に十分に接近するように配置され、コンタクト・レンズ２００の中心エリアが瞳孔１３０を覆うように位置付けられる向きにおいてコンタクト・レンズ２００が眼表面１００上に位置付けられたときに、強膜１２０の領域１１０がコンタクト・レンズ２００の少なくとも一部分によってカバーされる。例えば、コンタクト・レンズ２００の周縁部分によってカバーされる。この構成において、第２の測定値が、コンタクト・レンズ２００の外側周辺縁部と虹彩１４０の外側周辺縁部との間に配置された領域１１０の少なくとも一部分にわたって取得される。
【００５３】
図５は、コンタクト・レンズ２００が、眼表面１００の一部分をカバーするが、コンタクト・レンズ２００の中心エリアが虹彩１３０をカバーしないように位置付けられた実例を示す。この構成において、強膜１２０の領域１１０は、コンタクト・レンズ２００によって全体的に又は部分的にカバーされ、眼表面１００よって反射された電磁放射線、例えば可視光の強度の第２の測定値が撮像デバイス４００によって取得される。強度データは、コンタクト・レンズ２００の中心エリアからのデータを含み得る。これは、通常の着用中に着用者の瞳孔１３０を覆うように位置付けられる可能性が最も高いコンタクト・レンズ２００の部分であり、故に、着用者の体験に最も影響を及ぼし得る。
【００５４】
図１から図５を参照すると、第１の測定値と第２の測定値との間で強度データを比較するために、眼表面１００上の位置データが決定される。上記のように、２つの強度測定値の間での眼表面１００上の位置は、各画像における眼表面１００の形状を比較することによって決定され得る。これは、画像を映像的に比較し、分析されることになる各画像において座標の範囲を選ぶことによって達成される。撮像デバイス４００のメモリ又は外部コンピューティング・デバイスに記憶されたソフトウェアが、コンタクト・レンズ２００によってカバーされた領域１１０を決定するために画像を自動的に比較するためにプロセッサによって適用され得る。プロセッサは、撮像デバイス４００に配置されてよく、又は外部プロセッサが使用されてよい。
【００５５】
第１及び第２の測定値を分析するときに眼表面１００の同一の領域１１０から取得される強度データが比較されることを保証するために、眼表面１００と撮像デバイス４００との間の相対運動は、測定間で制限され得る。眼表面１００と撮像デバイス４００との間の相対運動は、撮像デバイス４００を、不図示の固定された又は可搬性を有するスタンドに位置付けることによって制限され得る。眼表面１００が人間の眼である場合、着用者の頭部の運動は、ヘッド・レスト、顎レスト、バイト・バー又は当技術分野において知られる他の機構によって制限され得る。
【００５６】
図６は、人間の眼の形態の眼表面１００をカバーする、すなわちこれと接触するコンタクト・レンズ２００、例えばフォトクロミック・コンタクト・レンズ２００の位置付けの実例を示す。この実例において、着用者は、第１及び第２の測定中の強膜１２０の露出を最大化し得る。強膜１２０によって構成される領域１１０の比率ができる限り大きくなることが好ましい。着用者は、上を見上げ、次いで左又は右を見ることによって強膜１２０の露出を最大化し得る。着用者は、例えば左、右、上方、下方又は直接的に撮像デバイス４００の方向など、他の方向を見てもよいことを理解されたい。撮像デバイス４００は、眼表面１００の任意の箇所から反射された電磁放射線の強度に関するデータを含む画像データを取得する。しかしながら、フォトクロミック・コンタクト・レンズ２００の透過率を決定するためには、第２の測定中にフォトクロミック・コンタクト・レンズ２００によってカバーされる眼表面１００の領域１１０が特に重要である。このカバーされた部分は、眼の瞳孔１３０、虹彩１４０及び／又は強膜１２０を含み得る。虹彩１４０及び瞳孔１３０は相対的に暗いので、強度測定における誤差を低減するためには、フォトクロミック・コンタクト・レンズ２００によってカバーされる眼表面１００の領域１１０は、その大部分又は全体が強膜１２０によって構成されることが好ましい場合がある。これは、撮像デバイス４００のダイナミック・レンジが比較的低いときに好ましい場合がある。
【００５７】
更に図６を参照すると、着用者は、例えば、上を見上げ次いで左を見ること、又は上を見上げ次いで右を見ることによって眼表面１００の強膜１２０の露出を最大化する。眼表面１００から反射された電磁放射線の第１の強度測定値が撮像デバイス４００によって取得される。第１の測定中の強膜１２０の露出部分は、好ましくは、領域１１０を含む。コンタクト・レンズ２００は、眼表面１００の領域１１０を覆うように置かれる。コンタクト・レンズ２００がフォトクロミック・コンタクト・レンズ２００である場合、フォトクロミック・コンタクト・レンズ２００は、フォトクロミック活性化の所望のレベルを達成する期間の間、化学線に晒される。第２の強度測定値が撮像デバイス４００によって取得される。強度測定値は、領域１１０を覆うように配置されたコンタクト・レンズ２００を透過したデータを含む。
【００５８】
図４〜図６を参照すると、コンタクト・レンズ２００がフォトクロミック・コンタクト・レンズ２００である場合、第１の強度測定が、眼表面１００上の所定位置に置かれた第１の状態にあるコンタクト・レンズ２００とともに行われ得る。第１の状態は、活性化されていない状態であってよい。フォトクロミック・コンタクト・レンズ２００が第２の状態になった後、撮像デバイス４００によって第２の強度測定が行われ得る。第２の状態は活性化された状態であってよい。第２の強度測定値が、コンタクト・レンズ２００の中央部分を通じて取得され得る。代替的に、第２の強度測定値は、コンタクト・レンズ２００の周縁部分を通じて取得されてもよい。
【００５９】
上に述べられたように、虹彩１４０及び瞳孔１３０は相対的に暗いので、強度測定位おける誤差を低減するためには、フォトクロミック・コンタクト・レンズ２００によってカバーされる眼表面１００の領域１１０は、その大部分又は全体が強膜１２０によって構成されることが好ましい場合がある。しかしながら、領域１１０は虹彩１４０及び／又は瞳孔１３０によって構成されてもよいことを理解されたい。この構成によると、第１の画像が虹彩１４０及び／又は瞳孔１３０の領域１１０を含むように撮影され得、次いで、活性化されたフォトクロミック・コンタクト・レンズ２００が領域１１０をカバーするように置かれ得、第２の画像が同じ領域１１０を含むように撮影され得る。このような実例において、例えば従来の光電子倍増管アレイ又はシリコン光電子倍増管アレイなどの、ＣＣＤ又はＣＭＯＳ検知器よりも感度の高い撮像デバイス４００を使用することが好ましい場合がある。適切なアレイの非限定的な実例としては、ＳｅｎｓＬ  ｏｆ  Ｃｏｒｋ、Ｉｒｅｌａｎｄによって製造されたシリコン光電子倍増管アレイ、及び日本、浜松市の浜松ホトニクスによって製造されたマルチピクセル光子検出器がある。光電子倍増管アレイを使用するとき、屋外条件に晒されることによる撮像デバイスへの損傷を回避することに注意が払われなければならない。
【００６０】
撮像デバイス４００がＣＣＤを備える場合、測定された強度値のうちのいくらかは、ＣＣＤにおける暗電流に部分的に起因し得る。暗電流は、ＣＣＤにおける温度に依存し得る。撮像デバイス４００の製造者は、暗電流に起因するＣＣＤにおける強度値の表又はプロットを提供し得る。様々な温度における暗電流に起因する強度は、シャッターが閉じられた状態で１つ又は複数の測定値を撮像デバイス４００によって取得することによって決定され得る。第１及び第２の強度値の測定と同時に、温度測定値が温度測定デバイスによって取得され得る。撮像デバイス４００は温度測定デバイスを含んでよく、又は、外部温度測定デバイスが使用されてもよい。
【００６１】
第１及び第２の測定において、強度データは、ある波長の範囲にわたって、又は特定の波長について取得され得る。２つの測定についてデータを比較するとき、以下の式が適用され得る。
【数１】
2021514474.tif 000003
式中、
ＴＭｅａｓは、コンタクト・レンズ２００を透過する電磁放射線の透過率であり、
ＩＯは、第１の強度の測定値であり、
ＩＴは、第２の強度の測定値であり、
ｄは、強度測定デバイスにおける暗電流に起因する強度値である。
【００６２】
コンタクト・レンズ２００の測定された吸収率ＡＭｅａｓは、
【数２】
2021514474.tif 000004
と定義される。
【００６３】
第２の測定において測定された電磁放射線の強度は、コンタクト・レンズ２００を二回通過しており、すなわち、一回は光源３００からコンタクト・レンズ２００を通過して眼表面１００（領域１１０）へと進行するとき、もう一回は眼表面１００（領域１１０）から反射されて戻り、コンタクト・レンズ２００を通過して撮像デバイス４００へと至るときである。コンタクト・レンズ２００を二回通過する電磁放射線を補正するために、測定された吸収率ＡＭｅａｓを２で割ることで、補正された吸収率値ＡＣｏｒｒが取得され、すなわち、
【数３】
2021514474.tif 000005
である。
【００６４】
補正された透過率ＴＣｏｒｒの値は、以下のように計算される。
【数４】
2021514474.tif 000006
上記の式は、
【数５】
2021514474.tif 000007
のように約分される。
【００６５】
透過率及び吸収率は密接に関連した値であることを理解されたい。故に、文脈がそうでないことを明確に示さない限り、透過率を決定することを示す本出願における任意の開示又は教示は、吸収率を決定することも示し、その逆も同様である。
【００６６】
透過率及び／又は吸収率における変化が決定され得、このとき、活性化されていないフォトクロミック又は非フォトクロミック・コンタクト・レンズ２００が、眼表面１００をカバーするように位置付けられることを理解されたい。次いで、第１の測定値が取得される。次いで、コンタクト・レンズ２００が化学線によって活性化される。次いで、第２の測定値が取得される。次いで、透過率の変化又は吸収率の変化の値が決定される。
【００６７】
光源３００によって出射された電磁放射線の強度は時間とともに変化し得る。例えば、光源３００が太陽である屋外環境において本発明の方法が実践されたとき、第１及び第２の測定の間に雲が太陽の前を通り、眼表面１００への入射電磁放射線の強度に影響を与える場合がある。入射電磁放射線強度の変動を補正するために、撮像デバイス４００は、２次的な場所１５０から測定値を取得し得る。２次的な場所１５０は、眼表面１００上に、又はこれに隣接して、又はこれの近くにあってよい。１つ又は複数の２次的な場所１５０は、眼表面１００上にあってよく、又は、眼表面に隣接する又はその近くのエリアにあってよいが、領域１１０の外側にある。図６を参照すると、撮像デバイス４００は、第１及び第２の強度測定値が取得されるのと同時に、２次的な場所１５０から強度データを取得し得る。２次的な場所１５０は、第１及び第２の測定からの強度データを含む、同一の画像又は画像データのセットの一部であり得る。２次的な場所１５０は、領域１１０を含まない眼表面１００上に位置付けられ得る。又は、２次的な場所１５０は、例えば着用者の顔、又は着用者の近く若しくは眼表面１００の近くに配置された面上などの他の場所に配置され得る。このような面は、特定の波長範囲の電磁放射線を反射するように構成され得る。２次的な場所１５０の実例は、着用者の顔に配置された、又は眼表面１００の近くに配置された着色されたタブ又はドットであってよく、安定した反射体として働く。２次的な場所１５０は、白、灰色又は任意の色であってよい。２次的な場所１５０の別の実例は、着色されたタブ又はドットによってカバーされていない着用者の顔の一部分であり得る。図６は、２次的な場所１５０の位置の実例を図示するが、任意の適切な面が２次的な場所１５０について使用され得ることを理解されたい。
【００６８】
第１及び第２の測定の間での２次的な場所１５０から反射された電磁放射線の測定された値の間の比較は、光源３００から出射された電磁放射線強度における変化を補正するために使用され得る。例えば、２次的な場所１５０から取得された強度データが、第１及び第２の測定の間で光源３００から出射された電磁放射線の強度において１０パーセントの減少を示す場合、第１の強度（ＩＯ）及び／又は第２の強度（ＩＴ）の値は、測定された透過率（Ｔ）及び吸収率（ＡＭｅａｓ）並びに補正された吸収率（ＡＣｏｒｒ）及び補正された透過率（ＴＣｏｒｒ）を決定するときにその量だけ調節され得る。この調節は、ソフトウェアを実行するプロセッサによって適用され得る。
【００６９】
強度データを分析するために使用され得る例示的なソフトウェアとしては、ＷａｖｅＭｅｔｒｉｃｓに開発されたＩｇｏｒ  Ｐｒｏ、Ｎａｔｉｏｎａｌ  Ｉｎｓｔｉｔｕｔｅｓ  ｏｆ  Ｈｅａｌｔｈによって開発されたＩｍａｇｅ  Ｊ、Ｎａｔｉｏｎａｌ  Ｉｎｓｔｒｕｍｅｎｔｓによって開発されたＬａｂＶＩＥＷ、ＯｒｉｇｉｎＬａｂによって開発されたＯｒｉｇｉｎ及びＯｒｉｇｉｎＰｒｏ、及びＭｉｃｒｏｓｏｆｔ  Ｃｏｒｐｏｒａｔｉｏｎによって開発されたＭｉｃｒｏｓｏｆｔ  Ｅｘｃｅｌなどがある。適用可能な技術分野において知られるように、追加的なソフトウェアが、強度データの分析を実施してもよい。
【００７０】
なおも別の例示的な方法において、活性化されていないコンタクト・レンズ２００が、眼表面１００に置かれ得る。「活性化されていない」は、コンタクト・レンズ２００が化学線に晒されていないこと、又は、完全に活性化されるために十分な強度の化学線に及び／又は十分な時間晒されていないことを意味する。活性化されていないコンタクト・レンズ２００は、領域１１０の少なくとも一部分をカバーし、すなわち、これに接触している。活性化されていないコンタクト・レンズ２００によってカバーされた眼表面１００の領域１１０の強度データの第１のセットが撮像デバイス４００によって取得される。コンタクト・レンズ２００が活性化、例えば、完全に活性化される。今や活性化されたコンタクト・レンズ２００によってカバーされた領域１１０の強度データの第２のセットが撮像デバイス４００によって取得される。強度データの２つのセットを比較することによって、透過率が決定される。
【００７１】
別の例示的な方法においては、活性化されたコンタクト・レンズ２００が、眼表面１００の上にこれをカバーするように置かれるが、コンタクト・レンズ２００は全体的な眼表面１００をカバーするわけではない。全体的な眼表面１００の画像データが撮像デバイス４００によって取得される。これらの画像データは、当技術分野において知られる任意のプロセスを使用して、ＣＩＥ色座標（例えば、ＣＩＥ  ＸＹＺ１９３１フォーマット、ＣＩＥ  ＸＹＺ１９６４フォーマット、又はＣＩＥ  ＸＹＺ２００４フォーマット）に変換される。コンタクト・レンズ２００によってカバーされた眼表面１００の領域、及びコンタクト・レンズ２００によってカバーされていない領域からの画像データからのＣＩＥ  Ｘ、Ｙ、及びＺ値は、Ｘ、Ｙ、及びＺ色マッチング関数に対する透過性における変化を計算するために比較される。ＣＩＥ  Ｙ値を使用することが好ましい場合があり、というのは、これは５５５ｎｍ周辺にピークを有するからである。透過率は以下の式に従って決定され得る。
【数６】
2021514474.tif 000008
式中、ＴＹは、ＣＩＥ  Ｙ値に従って決定されたコンタクト・レンズ２００の透過率であり、Ｙｕｎｃｏｖｅｒｅｄは、眼表面１００の画像の部分のＹ値であって、眼表面１００がコンタクト・レンズ２００によってカバーされていないときのＹ値であり、Ｙｃｏｖｅｒｅｄは、眼表面１００の画像の部分のＹ値であって、眼表面１００がコンタクト・レンズ２００によってカバーされたときのＹ値である。Ｘ及びＺ値を使用した透過率が、Ｙ値の代わりにＸ及びＸ値をそれぞれ使用した同じ式を使用して決定されてもよい。
【００７２】
図７は、本発明の例示的な方法のステップを示すブロック図である。ステップ１０１０は、眼表面によって反射された電磁放射線の第１の強度を測定するステップを含む。このステップは、強度測定デバイス４００によって実施され得る。ステップ１０２０は、面１００を覆うようにコンタクト・レンズ２００を位置付けるステップを含む。ステップ１０３０は、眼表面１００によって反射されるコンタクト・レンズ２００を透過した電磁放射線の第２の強度を測定するステップを含む。ステップ１０４０は、第１の強度及び第２の強度の測定値を使用して、コンタクト・レンズ２００を透過する電磁放射線の透過率を計算するステップを含む。
【００７３】
図８は、本発明の別の例示的な方法のステップを示すブロック図である。ステップ２０１０は、電磁放射線の所望の波長範囲を選択するステップを含む。ステップ２０２０は、コンタクト・レンズ２００、好ましくはフォトクロミック・コンタクト・レンズ２００の活性化の所望のレベルを選択するステップを含む。ステップ２０３０は、フォトクロミック・コンタクト・レンズ２００が活性化の所望のレベルに到達するまでフォトクロミック・コンタクト・レンズ２００を化学線に晒すステップを含む。ステップ２０４０は、眼の強膜１２０の領域１１０の可視性を最大化するステップを含む。ステップ２０５０は、強膜１２０の領域１１０の第１の画像を撮像デバイス４００によって撮影するステップを含む。撮像デバイス４００は所望の波長範囲にわたって電磁放射線強度データを記録するように構成され得る。ステップ２０６０は、第１の画像から取得された所望の波長範囲についての電磁放射線強度データの第１のセットを記録するステップを含む。ステップ２０７０は、活性化されたフォトクロミック・コンタクト・レンズ２００によって強膜１２０の領域１１０をカバーするステップを含む。ステップ２０８０は、フォトクロミック・コンタクト・レンズ２００によってカバーされた強膜１２０の領域１１０の第２の画像を撮像デバイス４００によって撮影するステップを含む。ステップ２０９０は、第２の画像から取得された所望の波長範囲についての電磁放射線強度データの第２のセットを記録するステップを含む。ステップ２１００は、データの第１及び第２のセットをデータベースに入力するステップを含む。ステップ２１１０は、プロセッサを使用して、フォトクロミック・コンタクト・レンズ２００の透過率を決定するステップを含む。
【００７４】
本開示に係る本発明は、以下の実例において更に例示され得る。この実例は、本発明を限定するものではない。これは、本発明を実践するモードを単に示唆することを意図するものである。光学的な知識及び他の専門知識を有する者は、本発明を実践する他のモードを見いだし得る。しかしながら、これらのモードは本発明の範囲内にあるものと見なされるべきである。
【００７５】
「実例１」
実例１は、屋外環境におけるフォトクロミック・コンタクト・レンズの透過率及び吸収率の測定に関する。
【００７６】
眼表面上のコンタクト・レンズの本発明による測定値が、完全に太陽の出た屋外のテスト・プラットフォームにおいて取得された。撮像デバイスは、Ｆナンバーが８に設定された未較正のＡＶＴカメラであり、ホワイト・バランス較正された。テストされたフォトクロミック・コンタクト・レンズは、広帯域吸収フォトクロミック染料に含浸され、赤、緑及び青（ＲＧＢ）平面の値がなおも取得可能であった。眼表面は人間の眼であった。カメラのレンズにＲＧＢフィルタは適用されなかった。対象のレンズのフォトクロミック染料は、広いスペクトルにわたって吸収するものであったので、この実例による測定にＲＧＢフィルタは不必要であると見なされた。画像データは、Ｉｇｏｒ  Ｐｒｏ６．３７を使用して分析された。測定されたフォトクロミック・レンズは、測定の前に、環境光において、眼の上で２０分間の間、活性化された。フォトクロミック・レンズを透過する透過率値は、対象の眼について取得された２つの画像間の強度データにおける差異に基づいて決定された。透過率値は眼から反射された光に基づいて決定されたので、上述のように、吸収率値は２によって補正された。強度値は、「カウント」によって測定され、これはスケーリングされた電圧の単位である。測定の前に、赤、緑及び青平面の暗値が決定された。
【００７７】
画像データは、対象の眼の周囲のエリアも含み、そこから、上述のように、２次的な場所からの強度データを取得することができた。２次的な場所は、対象の眼から外れて配置された。２つの測定の間の環境強度における変化が、２次的な場所から反射された強度データにおけるパーセンテージ変化に基づいて考慮され、この値の逆数に基づいて補正乗数が決定された。２次的な場所からの強度データは、コンタクト・レンズからの第１の強度測定時に取得された画像データに対応する第３の強度測定値として、及びコンタクト・レンズの第２の強度測定時に取得された画像データに対応する第４の強度測定値として参照される。取得された値は、以下の表１に示されている。「補正透過率」は、補正乗数が適用された未補正透過率の値である。「補正吸収率」値は、上述のように２によって補正された、補正透過率値から取得された。
【表１】
2021514474.tif 000009
【００７８】
本発明は、以下の項目のうちの１つ又は複数によって更に特徴付けられ得る。
【００７９】
項目１．眼表面１００に直接的に接触するコンタクト・レンズ２００を透過する電磁放射線の透過率を決定するための方法は、眼表面１００の少なくとも一部分によって反射された放射線の第１の強度を測定するステップと、眼表面１００の少なくとも一部分をカバーするようにコンタクト・レンズ２００を位置付けるステップと、コンタクト・レンズ２００によってカバーされた眼表面１００の少なくとも１つの領域１１０によって反射されるコンタクト・レンズ２００を透過した放射線の第２の強度を測定するステップと、第１の強度及び第２の強度の測定値を使用して、コンタクト・レンズ２００を透過する電磁放射線の透過率を計算するステップとを含む。
【００８０】
項目２．測定するステップは、強度測定デバイス４００、好ましくは撮像デバイスによって達成される、項目１の方法。
【００８１】
項目３．強度測定デバイス４００における暗電流に起因する強度値を決定するステップと、コンタクト・レンズ２００を透過する電磁放射線の透過率を以下の式に従って計算するステップであって、
【数７】
2021514474.tif 000010
式中、ＴＣｏｒｒは、コンタクト・レンズ２００を透過する電磁放射線の透過率であり、ＩＯは、第１の強度の測定値であり、ＩＴは、第２の強度の測定値であり、ｄは、強度測定デバイス４００における暗電流に起因する強度値である、ステップとを更に含む、項目２の方法。
【００８２】
項目４．眼表面１００の第１の場所において第１の強度を測定するステップと、眼表面１００の第１の場所において第２の強度を測定するステップとを更に含む、項目１から３までのいずれかの方法。
【００８３】
項目５．２次的な場所１５０から反射された放射線の第３の強度を、第１の強度の測定と同時的に測定するステップであって、少なくとも１つの領域１１０は２次的な場所１５０とは異なる、ステップと、２次的な場所１５０から反射された放射線の第４の強度を、第２の強度の測定と同時的に測定するステップと、第１及び第３の強度の測定時と第２及び第４の強度の測定時との間での放射線の強度における変化を決定するために、第３の強度を第４の強度と比較するステップと、第３の強度と第４の強度との比較を使用して、コンタクト・レンズ２００を透過する電磁放射線の透過率の計算における第１及び第３の強度の測定時と第２及び第４の強度の測定時との間での放射線の強度における変化を補正するステップとを更に含む、項目４の方法。
【００８４】
項目６．強度測定デバイス４００は、１ｎｍから１，０００ｎｍ、好ましくは３８０〜７８０ｎｍの波長範囲を有する電磁放射線のスペクトル内での電磁放射線の強度を測定するように構成される、項目２から５までのいずれかの方法。
【００８５】
項目７．強度測定デバイス４００は、４６０±２０ｎｍの波長範囲を有する電磁放射線のスペクトルにわたる電磁放射線の強度を測定するように構成される、項目２から６までのいずれかの方法。
【００８６】
項目８．強度測定デバイス４００は、５５５±２０ｎｍの波長範囲を有する電磁放射線のスペクトルにわたる電磁放射線の強度を測定するように構成される、項目２から７までのいずれかの方法。
【００８７】
項目９．強度測定デバイス４００は、６３５±２０ｎｍの波長範囲を有する電磁放射線のスペクトルにわたる電磁放射線の強度を測定するように構成される、項目２から８までのいずれかの方法。
【００８８】
項目１０．第１及び第２の強度の測定値は、４６０±２０ｎｍ、５５５±２０ｎｍ、及び６３５±２０ｎｍから成る群から選択された波長の範囲からのものである、項目１から９までのいずれかの方法。
【００８９】
項目１１．第１及び第２の強度の測定の前に、強度測定デバイス４００の検知器を覆うようにフィルタ４５０を適用するステップを更に含む、項目２から１０までのいずれかの方法。
【００９０】
項目１２．フィルタ４５０は、４６０±２０ｎｍ、５５５±２０ｎｍ、及び６３５±２０ｎｍから成る群から選択された波長を中心とする、項目１１の方法。
【００９１】
項目１３．フィルタ４５０は、３波長ノッチ・フィルタである、項目１１又は１２の方法。
【００９２】
項目１４．眼表面１００は、人間の眼を含む、項目１から１３までのいずれかの方法。
【００９３】
項目１５．眼表面１００は、眼の強膜の少なくとも一部分を含む、項目１４の方法。
【００９４】
項目１６．コンタクト・レンズ２００の中心部分又は周縁部分にわたって第２の強度の値を測定するステップを更に含む、項目１５の方法。
【００９５】
項目１７．コンタクト・レンズ２００は、フォトクロミック・コンタクト・レンズ２００又はティンテッド・コンタクト・レンズ２００である、項目１から１６までのいずれかの方法。
【００９６】
項目１８．活性化の所望のレベルにあるフォトクロミック・コンタクト・レンズ２００の透過率を決定するための方法は、電磁放射線の所望の波長範囲を選択するステップと、フォトクロミック・コンタクト・レンズ２００の活性化の所望のレベルを選択するステップと、フォトクロミック・コンタクト・レンズ２００が活性化の所望のレベルに到達するまでフォトクロミック・コンタクト・レンズ２００を化学線に晒すステップと、眼の強膜１２０の領域１１０の可視性を最大化するステップと、強膜１２０の領域１１０の第１の画像を撮像デバイス４００によって撮影するステップであって、撮像デバイス４００は所望の波長範囲にわたって電磁放射線強度データを記録するように構成される、ステップと、第１の画像から取得された所望の波長範囲についての電磁放射線強度データの第１のセットを記録するステップと、活性化されたフォトクロミック・コンタクト・レンズ２００によって強膜１２０の領域１１０をカバーするステップと、強膜１２０の領域１１０の第２の画像を撮像デバイスによって撮影するステップと、第２の画像から取得された所望の波長範囲についての電磁放射線強度データの第２のセットを記録するステップと、データの第１及び第２のセットをデータベースに入力するステップと、プロセッサを使用して、フォトクロミック・コンタクト・レンズ２００の透過率を決定するステップとを含む。
【００９７】
項目１９．第１及び第２の画像を撮影する前に、撮像デバイス４００を覆うようにフィルタ４５０を適用するステップを更に含む、項目１８の方法。
【００９８】
項目２０．フィルタ４５０は、４６０±２０ｎｍ、５５５±２０ｎｍ、及び６３５±２０ｎｍから成る群から選択された波長を中心とする、項目１９の方法。
【００９９】
項目２１．フィルタ４５０は、３波長ノッチ・フィルタである、項目１９又は２０の方法。
【０１００】
項目２２．コンタクト・レンズ２００を透過する電磁放射線の透過率を決定するための方法は、眼表面１００の一部分の上に活性化されていないコンタクト・レンズ２００を位置付けるステップと、コンタクト・レンズ２００によってカバーされた眼表面１００の領域１１０によって反射された放射線の第１の強度を測定するステップと、コンタクト・レンズ２００を活性化させるステップと、コンタクト・レンズ２００によってカバーされたコンタクト・レンズ２００の領域１１０によって反射された放射線の第２の強度を測定するステップと、第１の強度及び第２の強度の測定値を使用して、コンタクト・レンズ２００を透過する電磁放射線の透過率を計算するステップとを含む。
【０１０１】
項目２３．コンタクト・レンズ２００を透過する電磁放射線の透過率を決定するための方法は、活性化されたフォトクロミック・コンタクト・レンズ２００によってカバーされた眼表面１００の領域１１０によって反射された放射線の第１の強度を測定するステップと、コンタクト・レンズ２００によってカバーされていない眼表面１００の領域によって反射された放射線の第２の強度を測定するステップと、第１及び第２の測定値をＣＩＥ色座標に変換するステップと、ＣＩＥ色座標における差異を使用して、コンタクト・レンズ２００を透過する電磁放射線の透過率を計算するステップとを含む。
【０１０２】
項目２４．コンタクト・レンズ２００は、眼表面１００に直接的に接触する、項目１から２３までのいずれかの方法。
【０１０３】
項目２５．コンタクト・レンズ２００は、第１及び第２の強度を測定する前に眼表面１００上にこれをカバーするように位置付けられ、第１の強度及び第２の強度の測定値は同一の画像から取得され、第１の強度は、コンタクト・レンズ２００によってカバーされていない眼表面１００の部分から測定され、第２の強度は、コンタクト・レンズ２００によってカバーされた眼表面１００の部分から測定され、方法は、第１の強度の測定値をＣＩＥ  ＸＹＺ値に変換するステップと、第２の強度の測定値をＣＩＥ  ＸＹＺ値に変換するステップと、透過率を以下の式に従って決定するステップであって、
【数８】
2021514474.tif 000011
式中、ＴＹは、ＣＩＥ  Ｙ値に従って決定されたコンタクト・レンズ２００の透過率であり、Ｙｕｎｃｏｖｅｒｅｄは、眼表面１００がコンタクト・レンズ２００によってカバーされていないときの眼表面１００の画像の部分のＹ値であり、Ｙｃｏｖｅｒｅｄは、眼表面１００がコンタクト・レンズ２００によってカバーされたときの基準面の画像の部分のＹ値である、ステップとを更に含む、項目１の方法。
【０１０４】
項目２６．フォトクロミック・コンタクト・レンズ２００の透過率を決定するための測定システム１００は、光源３００と、強度測定デバイス４００とを備える。
【０１０５】
項目２７．眼表面１００を更に含む、項目２６の測定システム１０。
【０１０６】
項目２８．光源３００は、自然光源又は人工的光源である、項目２６又は２７の測定システム１０。
【０１０７】
項目２９．強度測定デバイス４００は撮像デバイスを備える、項目２６から２８までのいずれかの測定システム１０。
【０１０８】
項目３０．強度測定デバイス４００は、３８０〜７８０ｎｍの波長範囲を有する電磁放射線のスペクトルにわたる放射線の強度を測定するように構成される、項目２７から２９までのいずれかの測定システム１０。
【０１０９】
項目３１．強度測定デバイス４００は、４６０±２０ｎｍの波長範囲を有する電磁放射線のスペクトルにわたる放射線の強度を測定するように構成される、項目２７から３０までのいずれかの測定システム１０。
【０１１０】
項目３２．強度測定デバイス４００は、５５５±２０ｎｍの波長範囲を有する電磁放射線のスペクトルにわたる放射線の強度を測定するように構成される、項目２７から３１までのいずれかの測定システム１０。
【０１１１】
項目３３．強度測定デバイス４００は、６３５±２０ｎｍの波長範囲を有する電磁放射線のスペクトルにわたる放射線の強度を測定するように構成される、項目２７から３２までのいずれかの測定システム１０。
【０１１２】
項目３４．強度測定デバイス４００の検知器を覆うフィルタ４５０を更に備える、項目２７から３３までのいずれかの測定システム１０。
【０１１３】
項目３５．フィルタ４５０は、４６０±２０ｎｍ、５５５±２０ｎｍ、及び６３５±２０ｎｍから成る群から選択された波長を中心とする、項目３４の測定システム１０。
【０１１４】
項目３６．フィルタ４５０は、３波長ノッチ・フィルタである、項目３４又は３５の測定システム１０。
【０１１５】
項目３７．眼表面１００は、人間の眼を含む、項目２７から３６までのいずれかの測定システム１０。
【０１１６】
項目３８．コンタクト・レンズ２００は、フォトクロミック・コンタクト・レンズ２００、好ましくはフォトクロミック・コンタクト・レンズであり、方法は、第１の強度の測定と第２の強度の測定との間でフォトクロミック・コンタクト・レンズ２００を少なくとも部分的に活性化させるステップを含む、項目１から１７までのいずれかの方法。
【０１１７】
本開示は、現在のところ最も実践的で好ましいと見なされる態様に基づいて、例示を目的として詳細に説明されたが、このような詳細は、単にその目的のためのものであること、及び本開示は、開示された態様に限定されるものではなく、修正及び同等構成をカバーするものと企図されることを理解されたい。例えば、本開示は、可能な限り、任意の態様の１つ又は複数の特徴が、任意の他の態様の１つ又は複数の特徴と組み合わされ得ることを意図することを理解されたい。
【図１】
2021514474.tif 000014
【図２】
2021514474.tif 000015
【図３】
2021514474.tif 000016
【図４】
2021514474.tif 000017
【図５】
2021514474.tif 000018
【図６】
2021514474.tif 000019
【図７】
2021514474.tif 000020
【図８】
2021514474.tif 000021
【国際調査報告】
2021514474.tif 000022
2021514474.tif 000023